(57)【要約】      （修正有）【課題】庇付折り畳み式犬糞便器をもって、犬の散歩に出かけた際糞便を受けた後、犬糞便器の隙間から小さい糞が落下したりせず、また、犬糞便器の角で収容するビニール袋が裂けて破損したりすることも防げ、また、いったんビニール袋に収納しても便器から糞がこぼれてしまいビニール袋をとおして通行人に糞がみえてしまうことがない折り畳み式の犬糞便器を提供する。【解決手段】庇つき折り畳み式便器の箱の底面の中間部の折り目５のところより再度折り畳むための折り目８をつける。この折り目８を折り畳めば箱は容易には開かず、隙間から糞がこぼれたり、ビニール袋に便器の角が当たりさけてしまうことがなくなる。【選択図】図１
0003197461.tif 000002
【実用新案登録請求の範囲】
【請求項１】
底面と外枠よりなる箱の左右の外枠に庇を設け底面の中間部分で折り曲げてまるめられるように折り目（５）をつけ、犬糞を箱に収納しやすくした折りたたみ式犬糞便器において、折りたたんだ後、隙間から糞がこぼれたり、便器の角で収納袋が裂けたりしないで確実に収容できるように再度折りたたむための折り目を底面に折り目（８）つけた犬糞便器。
【考案の詳細な説明】
【技術分野】
【０００１】    本考案は、庇付折り畳み式犬糞便器をもって、犬の散歩に出かけた際糞便を受けた後、犬糞便器の隙間から小さい糞が落下したりせず、また、犬糞便器の角で収容するビニール袋が裂けて破損したりすることも防げる。また、いったんビニール袋に収納しても便器を一回折り畳んでいるだけでは、便器から糞がこぼれてしまいビニール袋をとおして通行人に糞がみえてしまい不快感をあたえることになるがそういったことがない。進化した折り畳み式の犬糞便器に関するものである。
【背景技術】
【０００２】    犬の散歩時の犬糞処理には、大きく分けて２種類の方法がある。１つは、犬にいったん道路に糞をさせ、それから処理する方法と、２つめには、犬の糞が道路に接しないで受け止める方法がある。【０００３】  １つめの代表的なものは、犬が糞をし終わった後ビニール袋を手袋代わりにして糞をつかみ取り、袋を裏返しに収納し処理するものであるが、道路に糞が一旦接するので、軟便の場合は道路に糞がくっつくのできれいに取りさることができない。また、軟便でない場合、糞が落下する際、糞が地面に当たり衝撃で割れて、米粒大の大きさの糞がちらばったりする。アスファルトの隙間にはいると、取りにくくなる。【０００４】  ２つめは、道路を汚さない糞便処理で、古新聞を広げて受けたり、スコップや棹つき網で受け止める用具がある。古新聞で受ける方法は、古新聞を持って歩くのは、不恰好であるし、受けた後、丸めることができにくい。また、風の日には、扱いにくい。スコップや棹つき網を使用するのは、用具を清潔にしておかねばならない、処理した後用具が服に触れたりしないように気を配らなくてはならない。棹つき網はおおきなものになり、携帯に不向きである。【０００５】  それらの欠点を克服し進歩したものに実用新案登録第３１１５９５４号折り畳み式犬糞便器がある。道路を汚染しない、携帯しても軽くて、清潔などの利点があるが、折り畳んだとき便器が傾くと小さい糞が隙間から糞が落ちてしまうことがある。また、便器をビニール袋に入れる際に、折り畳んだ角が、ビニール袋にあたると、引っ掛かりビニール袋がさけてしまうことがある。また、いったんビニール袋に糞を収納しても折り畳んでいるのは一回だけなので、便器が開いて糞がこぼれビニール袋を通して糞が見えてしまい通行人に不快感をあたえてしまう。【０００６】  実用新案登録第３１２０６８４号は、折り目が複雑であるので、散歩に出かける前、あらかじめ折り目を整えねばならず準備に時間がかかるうえ、糞を収納後もビニール袋に入れる際に嵩が高く、いれにくいという欠点がある。
【先行技術文献】
【実用新案登録】
【０００７】  実用新案登録第３１１５９５４号
実用新案登録第３１２０６８４号
【考案の概要】
【考案が解決しようとする課題】
【０００８】  犬の糞を折り畳み式犬糞便器にきちんと受け取り、折り畳むが、畳んだ後便器の隙間から糞が外にこぼれたりしないようにしなければならない。また、ビニール袋に収納した後も便器が容易に開かないようにし糞がこぼれないようにしなければならない。また、便器を収納するビニール袋が、折り畳んだ便器の角に当たって裂けてしまうことがあるのでそれをなくす。そういう犬糞便器が、本考案の課題である。
【課題を解決するための手段】
【０００９】  本考案は、底面と外枠よりなる箱の、左と右に，箱より外へ、庇（４）をとりつける。箱の中間部に折り畳みやすくするための、折り目（５）をつける、箱の外枠の四隅は、未使用時の保管にかさばらないようにするため折り目（６）をつけておく。糞を受けて便器を折り畳んだあと糞がこぼれたりするのを防いだり、ビニール袋に収納後も便器が容易に開いて糞が便器から飛び出ることの無いよう、それに、一回折り畳むだけでは外枠の真ん中が尖った状態となるので、その尖りをなくすためにも、底面に二度目の折り畳むための折り目（８）を入れる。
【考案の効果】
【０００１０】  本考案は、従来の庇を付けた折り畳み式便器の折り目の欠点を補うものである。本考案では、従来の庇をとりつけた折り畳み式便器の底面に折り目（８）を入れて、一度折り畳んだ便器をさいど折り畳むことができる。二度折り畳むため、便器は容易に開いたりしないのでビニール袋に収納した糞が便器からこぼれたりはみ出ることがない。
また、便器を折り畳んだ際、従来できてしまう尖った角の外枠がなくなり、ビニール袋に角が引っ掛かり、そのため袋がさけるということもなくなり、また二度折り畳むのでその分小さくなり、ビニール袋にも入れやすくなるという利点もある。
【図面の簡単な説明】
【００１１】
【図１】本考案の実施例１の平面図
【図２】本考案の実施例２の平面図
【図３】本考案の実施例１の使用状態の斜視図
【図４】本考案の実施例２の折り畳んだ際上になるほうの部分の外枠を平らな状態にした使用状態の斜視図
【図５】本考案の実施例２の使用状態の斜視図
【考案を実施するための形態】
【００１２】  長方形の箱（１）の短辺（２）の部分に庇（４）を三角形で設ける。箱の中間部に折り畳めるよう外枠からつづけて折り目（５）をつける。箱の四隅にも折り目（６）をつける。折り畳んだ際外枠に隙間を作らないようにするため底面に二度折りするための折り目（８）を長辺に沿ってつける。あるいは、箱の中間部の折り目（５）のところより、外向き斜めに折り畳む折り目（８）をつける。
【実施例１】
【００１３】    長方形の箱（１）の短辺（２）の下部に庇（４）を三角形で設ける。箱の短辺に平行した中間部に、箱を折り畳めるように外枠（７）から底面にかけて折り目（５）をつける。箱の底面に二度折りするための折り目（８）を長辺に沿ってつける。箱の四隅には箱がかさばらないようにするために、折り目（６）をつける。【００１４】  この実施例は、従来の折り畳み式便器の使用方法が少し異なる。
便器で糞を受け止めた後、外枠を畳んで便器全体を平らな状態にするそのうえで、中間部の折り目（５）で折り畳む。糞は底面に挟まって収まっているので、再度底面につけてある折り目（８）で折り畳み糞を包み込むようにして使用する。
【実施例２】
【００１５】    長方形の箱（１）の短辺（２）の上部に庇（４）を三角形で設ける。箱の短辺に平行した中間部に、箱を折り畳めるように外枠（７）から底面にかけて折り目（５）をつける。箱の底面の中間部の折り目のところから外向き斜めに折り目（８）をつける。箱の四隅には保管しているとき、箱がかさばらないようにするために、折り目（６）をつける。【００１６】  この利用方法であるが、折り畳んだとき上になるほうの部分の短辺の外枠は底面に接するようにたたみ、上になるほうの部分の長辺の外枠は外へ倒し、箱半分は平らな状態にする。そのうえで、中間部の折り目（５）を折り畳み、その後、再度斜めの折り目（８）に沿って折り畳み包み込むようにして使用する。
【実施例３】
【００１７】    長方形の箱（１）の短辺（２）の上部に庇（４）を三角形で設ける。箱の短辺に平行した中間部に、箱を折り畳めるように外枠（７）から底面にかけて折り目（５）をつける。箱の底面の箱の中間部の折り目のところから外向き斜めに折り目（８）をつけるのと、もう一種類、底面に外枠長辺に沿って折り目（８）をつける。こうすれば、糞の位置によってどちらかの折り目を選択でき便利である。箱の四隅には保管しているとき、箱がかさばらないようにするために、折り目（６）をつける。
【産業上の利用の可能性】
【００１８】  本考案は、愛犬家向きペット産業で製造し販売されるものである。
【符号の説明】
【００１９】    １長方形の箱
２短辺
３長辺
４庇
５箱の中央部の折り目
６四隅の折り目
７外枠
８底面の折り目
９ビニール袋
【図１】
0003197461.tif 000003
【図２】
0003197461.tif 000004
【図３】
0003197461.tif 000005
【図４】
0003197461.tif 000006
【図５】
0003197461.tif 000007